(57)【要約】【課題】本発明の空気調和機は、グリルもしくはスクロールに生じた結露水を確実に処理可能な形状を有することにより、スクロール内部で発生した結露水の本体からの飛び出しに対する信頼性を向上させるものである。【解決手段】グリル１とスクロール２の合わせ部からなる水回収部３を有する空気調和機のグリル１の、スクロール２との合わせ部に、スクロール２先端部より高さが高くなるようにリブ４を設けることにより、ファンケース８内に結露した水が水滴となってスクロール２を前方に向かって流れ、勢いがついて水回収部３を飛び越してもリブ４が設けてあるため、リブ４に当たり確実に水回収部３に回収することが可能となり、室内機のスクロール２内で発生した結露水は本体外に飛び出すことなく結露水に対する信頼性は確保される。【選択図】図１
2006194483.tif 000002
【特許請求の範囲】
【請求項１】
スクロール一体形成する台枠と、吹出し部と、外郭を形成するグリルを有し、前記グリルの、前記スクロールとの合わせ部に、前記スクロール先端部より高さが高くなるようにリブを設けることを特徴とする空気調和機。
【請求項２】
スクロール一体形成する台枠と、吹出し部と、外郭を形成するグリルを有し、前記スクロールに不織布を貼付することを特徴とする空気調和機。
【請求項３】
スクロール一体形成する台枠と、吹出し部と、外郭を形成するグリルを有し、前記スクロールの一部に一つもしくは複数の段差を設けることを特徴とする空気調和機。
【発明の詳細な説明】
【技術分野】
【０００１】
本発明は、結露水処理機構を有する空気調和機に関するものである。
【背景技術】
【０００２】
従来、この種の空気調和機は冷房運転時に発生する結露水の処理としてスクロール内で発生した水をグリル外部に出さないために、グリル内に水回収部を設けている（例えば特許文献１）。
【０００３】
図４は、特許文献１に記載された従来の空気調和機の要部断面図を示すものである。図４に示すように、グリル１、スクロール２、水回収部３、吹出し部７、ファンケース８から構成されている。
【特許文献１】特開平７−１５８８８０号公報
【発明の開示】
【発明が解決しようとする課題】
【０００４】
しかしながら、前記従来の構成では、グリルの水を回収する水回収部はスクロール先端よりも下方になっており、スクロール先端よりグリルが前方にあり、その隙間に水を回収する機構になっているが、スクロールの奥にある構造物に結露した水は勢いをつけてスクロールを伝わって前方へ流れるため下方にあるグリルの水回収部に入り込まず、グリル外部に飛び出してしまうという課題を有していた。
【０００５】
本発明は、前記従来の課題を解決するもので、結露水をグリル内部に確実に回収する空気調和機を提供することを目的とする。
【課題を解決するための手段】
【０００６】
前記従来の課題を解決するために、本発明の空気調和機は、グリルの、スクロールとの合わせ部にスクロール先端部より高さが高くなるようにリブを設けるものである。
【０００７】
これによって、スクロール内に結露した水はスクロールを伝わって前方に流れ出ようとするが、グリルにリブがあるため、水はリブに当たり、グリルの水回収部に回収され確実に前面に流れ出ることを回避できるようになる。
【０００８】
また、本発明の空気調和機は、スクロールの一部に不織布を張付けるものである。
【０００９】
これにより、スクロール内に結露した水はスクロールを伝わって前方に流れ出ようとするが、スクロールに不織布が張付けられているため、水は不織布に吸収され、不織布が水で飽和状態になった後、不織布最下方部より飽和した分の水がスクロールを伝わって流れるため、水の勢いは一旦緩和され、グリルの水回収部へ向かうことになり確実に回収され前面に流れ出ることを回避できるようになる。
【００１０】
また、本発明の空気調和機は、スクロールの一部に一つもしくは複数の段差を設けるものである。
【００１１】
これにより、スクロール内に結露した水はスクロールを伝わって前方に流れ出ようとするが、スクロール内に段差があるため、そこで一旦水が停滞、もしくは勢いを無くすため本体の前方に水が飛び出すことなく確実にグリル内に導くことが出来るようになる。
【発明の効果】
【００１２】
本発明の空気調和機は、グリルもしくはスクロールに結露水を確実に処理可能な形状を有することにより、スクロール内部で発生した結露水の本体からの飛び出しに対する信頼性を向上させるものである。
【発明を実施するための最良の形態】
【００１３】
第１の発明は、グリルの、スクロールとの合わせ部にスクロール先端部より高さが高くなるようにリブを設けることによりスクロール内に結露した水はスクロールを伝わってグリルより前方に流れ出ようとするが、リブに当たり、グリルの水回収部に回収され確実に前面に流れ出ることを回避できるようになる。
【００１４】
第２の発明は、結露水が流れるスクロールの一部に不織布を張付けることにより、スクロール内に結露し、流れ出そうとした水は一旦不織布に吸収され、不織布が水で飽和状態になった後、不織布最下方部より飽和した分の水がスクロールを伝わって流れるため、水の勢いは一旦緩和され、グリルの水回収部へ向かうことになり確実に回収され前面に流れ出ることを回避できるようになる。
【００１５】
第３の発明は、スクロールの一部に一つもしくは複数の段差を設けることにより、スクロール内に結露した水はスクロールを伝わって前方に流れでようとするが、スクロール内に段差があるため、そこで一旦水が停滞、もしくは勢いを無くすため本体の前方に水が飛び出すことなく確実にグリル内に導くことが出来るようになる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の要部断面図を示すものである。
【００１８】
図１において、クロスフローファン（図示せず）によって、吸込み口（図示せず）から吸込まれた室内空気は、スクロール２と一体形成された台枠９と外郭を形成するグリル１からなる室内機内部で熱交換され、スクロール２に沿って吹出し部７から室内に吹出され、室内温度を制御するものである。
【００１９】
熱交換の際にその温度差によって空気調和機内部、例えばファンケース８等に結露が生じ、溜まった結露水がスクロール２を伝って前方に向かって流れ、勢いがついてグリル１とスクロール２の合わせ部に設けられた水回収部３を飛び越して、吹出し部９から室内に飛び出す可能性があったが、グリル１の、スクロール２との合わせ部に、スクロール２先端部より高さが高くなるようにリブ４を設けることにより、スクロール２を伝ってきた結露水はリブ４に当たり確実に水回収部３に回収することが可能となる。
【００２０】
以上のように、本実施の形態において空気調和機内部に結露した水は、グリル１の吹出し部７にスクロール２先端部より高さが高くなるようにリブ４を設けることにより、本体外に飛び出すことなく確実に水回収部３に回収することが可能となり、結露水に対する信頼性が確保される。
【００２１】
（実施の形態２）
図２は、本発明の第２の実施の形態における空気調和機の要部断面図を示すものである。
【００２２】
図２において、空気調和機内部で結露が生じ易いファンケース８から結露水が流れるスクロール２の該当部分に不織布５を貼付けることにより、結露水は一旦不織布５に保水される。更に結露水が流れて不織布５が飽和状態になった後、飽和した分が不織布５の最下端から再度流れるため、水滴の勢いは弱まる。また、不織布５の最下端を水回収部３に十分近い位置に設定しておけば、不織布５から再度流れた水は勢いを再度つけることなく、水回収部３へ直ちに回収されることが可能となる。
【００２３】
以上のように、本実施の形態においてファンケース８内に結露した水は、スクロール２の流路部分に不織布５を張付けることにより、確実に水回収部３に回収することが可能となる。
【００２４】
その結果、室内機のスクロール内で発生した結露水は本体外に飛び出すことなく結露水に対する信頼性は確保される。
【００２５】
（実施の形態３）
図３は、本発明の第３の実施の形態における空気調和機の要部断面図を示すものである。
【００２６】
図３において、ファンケース８に結露した結露水がスクロール２上を流れる部分に一つもしくは複数の段差６を設けることにより、スクロール２内部に発生した水は一旦、段差６に停滞もしくは勢いを弱められて水回収部３へ到達し回収される。
【００２７】
以上のように、本実施の形態においてファンケース８内に結露した水は段差６を設けることにより、確実に水回収部３に回収することが可能となる。
【００２８】
その結果、室内機のスクロール内で発生した結露水は本体外に飛び出すことなく結露水に対する信頼性は確保される。
【産業上の利用可能性】
【００２９】
以上のように、本発明にかかる空気調和機は、グリルもしくはスクロールに結露水を確実に処理可能な形状を有することにより、スクロール内部で発生した結露水の本体からの飛び出しに対する信頼性を向上させるものである。
【図面の簡単な説明】
【００３０】
【図１】本発明の実施の形態１における空気調和機の要部断面図
【図２】本発明の実施の形態２における空気調和機の要部断面図
【図３】本発明の実施の形態３における空気調和機の要部断面図
【図４】従来の空気調和機の要部断面図
【符号の説明】
【００３１】
１  グリル
２  スクロール
３  水回収部
４  リブ
５  不織布
６  段差
７  吹出し部
８  ファンケース
９  台枠
【図１】
2006194483.tif 000003
【図２】
2006194483.tif 000004
【図３】
2006194483.tif 000005
【図４】
2006194483.tif 000006